(57)【特許請求の範囲】
【請求項１】
左右一対の手摺垂直部材と、手摺垂直部材の上端をつなぐ手摺水平部材からなる手摺枠と、手摺枠の手摺垂直部材の下端に設けた一対の固定部材からなり、固定部材で枠組足場の布板に取り付ける先行手摺において、手摺枠の中央部から下方に取手部材を設け、固定部材を布板に取り付ける際に手摺枠の中央部に位置する取手部材の下端が布板よりも下方に突出する枠組足場の先行手摺。
【請求項２】
固定部材のネジ孔を通る締め付け部材を設け、締め付け部材にはその外側端部にハンドルを、内側端部に圧着部材とその間に支持部材を設け、支持部材のハンドル側にネジ部を、支持部材の圧着部材側に円柱部を設け、円柱部の外径はネジ部の谷の径より小径とし、締め付け部材が布板の上部平面部を締め付けるのに必要な所定の長さのネジ部を有し、円柱部により圧着部材が布板に近接するまで自由にスライド可能な請求項１記載の枠組足場の先行手摺。
【発明の詳細な説明】
【０００１】
【発明の属する技術分野】
本発明は、建設現場などで使用される枠組足場を組立・分解するときに、作業者の転落事故防止のため、枠組足場の最上段に設ける先行手摺に関する。
【０００２】
【従来の技術】
【特許文献１】
特許第３２０５９０６号公報
【０００３】
建設現場などで使用される枠組足場は、門形をした２本の建枠をブレースで連結し、建枠の頂部の間に布板を載置したものをユニットとし、このユニットを建設現場の幅と高さに応じて左右・上下に連結して枠組足場を構成する。
【０００４】
したがって、最上段以外の布板に立って作業するときは建枠を連結しているブレースが安全柵の役目を果たすが、最上段の布板に立って作業するときの転落事故防止のため、先行手摺を設けている。
【０００５】
このような手摺として、特許第３２０５９０６号公報には、下向き開口のコの字形の手摺本体の両端部に布板を挟み押さえて固定する一対の取り付け部材を設けた手摺ユニットとし、布板上部面に平行に脱着自在に取り付けることを可能としたものが示されている。
【０００６】
この手摺は、現在の最上段の枠組足場ユニットを構成した後、次にその上段の布板を建枠の頂部に載置し、手摺本体と取り付け部材からなる手摺ユニットを上段に持ち上げ、取り付け部材で布板に挟み押さえて固定し構成する。そのため建枠や布板自身に加工を施す必要が無い。
【０００７】
布板に固定する取り付け部材には、平行な一対のＬ字形板部材からなる取り付け部本体の長手方向中間部から内側に張り出すように固定された上部挟持部材と、取り付け部本体の長手方向曲部近傍から内側に張り出した下部挟持部材が設けられる。布板の側面が長方形断面の枠部材で構成され、枠部材が両取り付け部本体内側に接するように挿入され、布板の枠部材を上部挟持部材と下部挟持部材で挟み押さえて固定する。
【０００８】
下部挟持部材は、取り付け部本体内側の先端を回動可能に軸部材で固定し、もう一方の先端を取り付け部本体の短手方向端下部に設けたネジ孔を通る下部に手動ハンドル、上部にボルト凸部を有する保持部材に下部から支承されており、保持部材のハンドルを回す事により上部挟持部材と下部挟持部材の挟持間隔を狭める。
【０００９】
下部挟持部材の上部内側が階段形状であるため、側面が異なる寸法の長方形断面の枠部材で構成された布板にも適応することができる。
【００１０】
【発明が解決しようとする課題】
上記の従来技術においては、手摺ユニットを現在の布板から上方の布板に取り付ける際に、手摺本体の両端部に設けられた取り付け部材の間隔が広く、その両方を複数の作業者で支持し、布板に取り付けなければならない。
【００１１】
また一般的に使用される、側面を折り曲げて補強し、薄鋼鈑で構成された布板においては側面の強度が弱く、上記従来の取り付け部材で側面を挟持・固定する事は不可能であり、布板上部平面部を挟持・固定する必要性があった。
【００１２】
しかし、布板の上部平面部を上部挟持部材と下部挟持部材とで挟持するには、取り付け部材を布板に脱着する際に布板側面を避ける必要性から下部挟持部材を上下に大きく移動する必要があり、下部挟持部材を下部から支承する支持部材のハンドルを数多く回さなければならない煩わしさがある。
【００１３】
そこで本発明では、一人の作業者が手摺ユニットを支持し上方の布板に取り付ける事を可能にし、布板の上部平面部に固定する際にも容易に素早く、かつ確実に取り付ける事を可能にする枠組足場の先行手摺を提供する事を目的とする。
【００１４】
【課題を解決するための手段】
請求項１の発明の枠組足場の先行手摺は、左右一対の手摺垂直部材11aと、手摺垂直部材11aの上端をつなぐ手摺水平部材11bからなる手摺枠11と、手摺枠11の手摺垂直部材11aの下端に設けた一対の固定部材12からなり、固定部材12で枠組足場１の布板３に取り付ける先行手摺10において、手摺枠11の中央部から下方に取手部材11eを設け、固定部材12を布板３に取り付ける際に手摺枠の中央部に位置する取手部材11eの下端が布板３よりも下方に突出するものである。
【００１５】
請求項２の発明の枠組足場の先行手摺は、固定部材12のネジ孔12dを通る締め付け部材13を設け、締め付け部材13にはその外側端部にハンドル14を、内側端部に圧着部材16とその間に支持部材15を設け、支持部材15のハンドル側にネジ部15bを、支持部材15の圧着部材16側に円柱部15aを設け、円柱部15aの外径はネジ部15bの谷の径より小径とし、締め付け部材13が布板３の上部平面部3aを締め付けるのに必要な所定の長さのネジ部15bを有し、円柱部15aにより圧着部材16が布板３に近接するまで自由にスライド可能なものである。
【００１６】
【発明の実施の形態】
請求項１の発明では、一対の固定部材12で枠組足場１の布板３に取り付ける先行手摺10において、手摺枠11の中央部から下方に取手部材11eを設け、固定部材12を布板３に取り付ける際に手摺枠の中央部に位置する取手部材11eの下端が布板３よりも下方に突出するように設けたから、一人の作業者が取手部材11eを容易に支持し、固定部材12で先行手摺10を上段の布板３に取り付ける事ができる。
【００１７】
請求項２の発明では、支持部材15のハンドル側にネジ部15bを、支持部材15の圧着部材16側に円柱部15aを設け、円柱部15aの外径はネジ部15bの谷の径より小径とし、円柱部15aにより圧着部材16が布板３に近接するまで自由にスライド可能としたから、締め付け部材13が円柱部15aの長さの範囲においてネジ孔12dを上下にスライドでき、圧着部材16が布板３の側面3bを避けて上部平面部3aを締め付けたり緩める作業が素早くできる。
【００１８】
また、締め付け部材13にはその外側端部にハンドル14を、内側端部に圧着部材16とその間に支持部材15を設け、締め付け部材13が布板３の上部平面部3aを締め付けるのに必要な所定の長さのネジ部15bを有するから、締め付け部材13の先端に設けた圧着部材16で布板３の上部平面部3aを挟み押さえて固定し、布板３の側面3bの形状に左右されない確実な取り付けが可能となる。
【００１９】
【実施例】
以下、本発明の一実施例を図面を参照して説明する。
【００２０】
図１に示すのは枠組足場１に組み立てた先行手摺10であり、枠組足場１は複数の門形をした建枠２が平行に立設され、その建枠２をブレース４で連結し、その建枠２の頂部の間に布板３を載置して作業者の足場としたものである。布板３は薄鋼板で構成され、作業者が載るための水平な上部平面部3aと、上部平面部3aの両端を下方に折り曲げて補強した側面3bとからなる。
【００２１】
先行手摺10は、手摺枠11と、手摺枠11の手摺垂直部材11aの下端に設けた一対の固定部材12からなる。固定部材12は布板３の上部平面部3aに平行に脱着される。
【００２２】
手摺枠11はアルミ丸管であり、左右一対の手摺垂直部材11aと、手摺垂直部材11aの上端をつなぐ手摺水平部材11bを設け、手摺垂直部材11aは固定部材12の上方に位置するから、先行手摺10を取り付けたとき、手摺垂直部材11aや手摺水平部材11bは布板３の側端部上方に位置する。
【００２３】
手摺垂直部材11aの中間に手摺水平部材11bと平行に支持部材11c,11dを設け、支持部材11dの中央部から下方にコの字形の取手部材11eを底部を下方にして設ける。
【００２４】
先行手摺10を布板３に取り付けたとき、取手部材11eの下端が布板３よりも下方に突出するよう、固定部材12よりも下方まで取手部材11eを設ける。布板３よりも下方に突出する取手部材11eが布板３と干渉しないように、その側面視で「へ」の字形に折り曲げ、下方が布板３の外方に位置し、かつ垂直となるよう支持部材11dに取り付ける。実施例では、取手部材11eが布板３よりも約25cm下方に突出し、下方の布板から取手部材11eまでの高さを約150cmとした。
【００２５】
固定部材12は、上下一対の固定水平部材としての上固定水平部材12aと下固定水平部材12cと、上固定水平部材12aと下固定水平部材12cの布板側面3b側の端面をつなぐ固定垂直部材12bと、下固定水平部材12cに設けたネジ孔12dを通る締め付け部材13からなる。
【００２６】
上固定水平部材12aと下固定水平部材12c、固定垂直部材12bはコの字形状の断面を有する鋼板で、それぞれのコの字形状断面の開口を外側にし、断面底部の水平方向の端部同士が接するよう側面視でコの字形に構成し、布板側面3bと固定垂直部材12bの底部が接するように布板３の上部平面部3aの両長手方向端部を挿入する。
【００２７】
手摺垂直部材11aの下端側面に貫通孔を設け、上固定水平部材12aのコの字形状断面の底部上面に手摺垂直部材11aの内径よりも小径で、同様の貫通孔を有する円形鋼管の支持部材12eを垂直に溶着し、手摺垂直部材11aの下端に支持部材12eを挿入し、それらの貫通孔にボルト・ナット等の軸部材を挿入して固定する。
【００２８】
下固定水平部材12cの下面には、ネジ孔12dを有するナットを溶着し、そのネジ孔12dを通り、締め付け部材13を設ける。
【００２９】
締め付け部材13の外側端部としての下端部に丸棒鋼のハンドル14を固定して取り付け、内側の端部としての上端部に圧着部材16を設け、その間に支持部材15を設ける。
【００３０】
圧着部材16は中心に孔を設けた下方に凸の円形皿状に成形した鋼板で、支持部材15の上端が孔に挿入され、水平方向に回動可能に固定される。
【００３１】
支持部材15は丸棒鋼とし、下方のハンドル14側には下固定水平部材12cに設けたネジ孔12dに適応して噛み合うするネジ部15bを設け、支持部材15の圧着部材16側に外径をネジ部15bの谷の径より小径とした円柱部15aを設け、下固定水平部材12cに設けたネジ孔12dを円柱部15aはスライドする。
【００３２】
実施例では、下固定水平部材12cに設けたネジ孔12dと支持部材15の下方の設けたネジ部15bをメートル並目ネジM14とし、支持部材15の圧着部材16側の円柱部15aの直径を11mmとした。従って、メートル並目ネジM14のおねじの谷の径およびめねじの内径は約11.8mmであり、支持部材15の円柱部15aの直径は11mmであるから、締め付け部材13は円柱部15aの長さの範囲で、下固定水平部材12cに設けたネジ孔12dを上下にスライドできる。
【００３３】
このとき、圧着部材16が布板３の側面3bを避けて固定部材12が布板３に脱着可能なように支持部材15の円柱部15aはそのスライドの下限において、先端の圧着部材16が布板３よりも下方に位置するようにし、スライドの上限において圧着部材16は布板３の上部平面部3aに近接するようにする。
【００３４】
また、支持部材15のネジ部15bは下固定水平部材12cに設けたネジ孔12dに噛み合わせる事で圧着部材16が布板３の上部平面部3aの下面に十分に圧着されるようなネジ長さで、かつ布板３に固定部材12を脱着する際に締め付け部材13を数多く回す煩わしさが無いように、できる限り短い長さとする。
【００３５】
以上のように先行手摺10を布板３に取り付けるには、作業者が手摺枠11の中央部に設けた取手部材11eのコの字形底部を支持し、上方の布板３の側面3bに固定部材12を挿入する。
【００３６】
そして、固定部材12の下部の締め付け部材13を下から持ち上げ、支持部材15のネジ部15bを下固定水平部材12cのネジ孔12dに噛み合わせ、ハンドル14を回す事により、圧着部材16は布板上部平面3aとの間隔を狭め、上固定水平部材12aと圧着部材16とで布板３の上部平面部3aを挟み押さえて固定する。
【００３７】
次に枠組足場１の組み立て、および先行手摺10の取り付け、移動方法について説明する。
【００３８】
枠組足場１の組み立てにおいて、１段目は必要とする幅に相当する数の建枠２を順次立設し、ブレース４で建枠２を連結し、布板３を建枠２の頂部の間に載置する。
【００３９】
手摺枠11に設けられた取手部材11eを支持して、枠組足場１の内側から先行手摺10を布板３とブレース４との上方の隙間から持ち上げ、固定部材12を布板３に取り付け、先行手摺10を固定する。
【００４０】
次に図７および図８に示すように、２段目の枠組足場１も同様に組み立てる。手摺枠11は布板３の側面よりも枠組足場内側に位置するので、ブレース４の連結も可能である。
【００４１】
３段目の布板３に先行手摺10を設けるには、１段目の作業者が２段目の布板３に設けられた先行手摺10の締め付け部材13を緩め、２段目の作業者が１段目と同様に３段目の布板へと先行手摺10を持ち上げ、固定する。
【００４２】
上記のような同様の手順を繰り返し、上方に枠組足場１を形成していく。また、枠組足場１の分解を行うには、上記を逆の手順で繰り返せばよい。
【００４３】
以上の実施例では、手摺枠11の中央部の支持部材11dから下方にコの字形の取手部材11eを底部を下方にして設けた例を示したが、先行手摺10を布板３に取り付けたときに布板３よりも下方に突出し、作業者が先行手摺10を支持できるものであれば良く、レバーのような丸棒形部材を手摺枠11の中央部に手摺水平部材11bから垂直に設けても良い。
【００４４】
また、固定部材12において、上方の上固定水平部材12aと下方からの締め付け部材13の先端に設けた圧着部材16とで布板３の上部平面部3aを挟み押さえる例を示したが、上下を逆の構成に、下方に固定部材を設け、上方にその挟持間隔を狭める部材を設けても良い。
【００４５】
【発明の効果】
請求項１の発明によれば、一対の固定部材で枠組足場の布板に取り付ける先行手摺において、手摺枠の中央部から下方に取手部材を設け、固定部材を布板に取り付ける際に手摺枠の中央部に位置する取手部材の下端が布板よりも下方に突出するように設け、一人の作業者が容易に先行手摺を支持し、固定部材で先行手摺を上段の布板に脱着できるから、作業者の人数を軽減できる。
【００４６】
請求項２の発明によれば、支持部材のハンドル側にネジ部を、支持部材の圧着部材側に円柱部を設け、円柱部の外径はネジ部の谷の径よりも小径とし、円柱部により圧着部材が布板に近接するまで自由にスライド可能とし、締め付け部材が円柱部の長さの範囲においてネジ孔を上下にスライドでき、圧着部材が布板の側面を避けて上部平面部の締め付けたり緩める作業が素早くできるから、先行手摺の脱着が容易で、作業時間が短縮できる。
【００４７】
また、締め付け部材にはその外側端部にハンドルを、内側端部に圧着部材とその間に支持部材を設け、締め付け部材が布板の上部平面部を締め付けるのに必要な所定の長さのネジ部を有し、締め付け部材の先端に設けた圧着部材で布板の上部平面部を挟み押さえて固定することで、布板の側面の形状に左右されない確実な先行手摺の取り付けが可能となるから、安全に作業できる。
【図面の簡単な説明】
【図１】枠組足場の先行手摺の一実施例を示す正面図である。
【図２】図１の部分拡大図である。
【図３】図２の側面図である。
【図４】固定部材の正面図である。
【図５】固定部材の側面図である。
【図６】図５の締め付け部材を下にスライドさせた図である。
【図７】図１の枠組足場を1段組み立てた図である。
【図８】図７の側面図である。
【図９】図７の先行手摺を上の段に取り付けた図である。
【図１０】図８の先行手摺を上の段に取り付けた図である。
【符号の説明】
１  枠組足場
３  布板
3a  上部平面部
10  先行手摺
11  手摺枠
11a  手摺垂直部材
11b  手摺水平部材
11e  取手部材
12  固定部材
13  締め付け部材
14  ハンドル
15  支持部材
15a  円柱部
15b  ネジ部
16  圧着部材
【図１】
0003891284.tif 000002
【図２】
0003891284.tif 000003
【図３】
0003891284.tif 000004
【図４】
0003891284.tif 000005
【図５】
0003891284.tif 000006
【図６】
0003891284.tif 000007
【図７】
0003891284.tif 000008
【図８】
0003891284.tif 000009
【図９】
0003891284.tif 000010
【図１０】
0003891284.tif 000011